(57)【要約】【課題】制御部を構成する制御基板の能力を無駄にすることなく、低コストの給水装置の制御装置、及び制御装置構成方法を提供すること。【解決手段】複数台のポンプ、該複数台のポンプを制御する制御部を具備し、１台のポンプを制御するのにセンサ入力と出力信号を必要とする給水装置の制御装置であって、制御部をポンプの台数に応じて、奇数台のポンプを制御する奇数台用制御基板又はその組合せ、又は偶数台のポンプを制御する偶数台用制御基板又はその組合せ、又は奇数台用制御基板と偶数台用制御基板の組合せで構成する。【選択図】図１
2006097662.tif 000002
【特許請求の範囲】
【請求項１】
複数台のポンプ、該複数台のポンプを制御する制御部を具備し、１台のポンプを制御するのにセンサ入力と出力信号を必要とする給水装置の制御装置であって、
前記制御部を前記ポンプの台数に応じて、奇数台のポンプを制御する奇数台用制御基板又はその組合せ、又は偶数台のポンプを制御する偶数台用制御基板又はその組合せ、又は前記奇数台用制御基板と前記偶数台用制御基板の組合せで構成することを特徴とする給水装置の制御装置。
【請求項２】
請求項１に記載の給水装置の制御装置において、
前記奇数台用制御基板は３台のポンプを制御する３台用制御基板であり、前記偶数台用制御基板は２台のポンプを制御する２台用制御基板であることを特徴とする給水装置の制御装置。
【請求項３】
複数台のポンプ、該複数台のポンプを制御する制御部を具備し、１台のポンプを制御するのにセンサ入力と出力信号を必要とする給水装置の制御装置構成方法であって、
奇数台のポンプを制御する奇数台用制御基板と、偶数台のポンプを制御する偶数台用制御基板を用意し、
前記制御部を前記ポンプの台数に応じて、前記奇数台用制御基板と前記偶数台用制御基板の中から選択し、該選択した制御基板を組合せて構成することを特徴とする給水装置の制御装置構成方法。
【請求項４】
請求項３に記載の給水装置の制御装置構成方法において、
前記奇数台用制御基板は３台のポンプを制御する３台用制御基板であり、前記偶数台用制御基板は２台のポンプを制御する２台用制御基板であることを特徴とする給水装置の制御装置構成方法。
【発明の詳細な説明】
【技術分野】
【０００１】
本発明は、複数台のポンプを具備する給水装置の制御装置、特に１台のポンプを制御するため複数個のセンサ入力と複数個の信号出力が必要な場合における制御装置、制御装置構成方法に関するものである。
【背景技術】
【０００２】
図１は、従来のこの種の給水装置の制御装置の構成例を示す図である。図示するように、本給水装置は、Ｎｏ．１〜Ｎｏ．８の８台のポンプ１０を具備し、それぞれのポンプ１０をインバータ１１で駆動するようになっている。各インバータ１１には漏電ブレーカ１２及び電磁開閉器１３を通して電源端子１４から電源が供給されるようになっている。各インバータ１１と制御部２０の間は通信線２１を介して信号が送受されるようになっている。制御部２０はＮｏ．１〜Ｎｏ．８の８台のポンプ１０を制御できる８台用制御基板２２で構成され、圧力センサ２３で検出された吐出圧力信号ＳP、Ｎｏ．１〜Ｎｏ．８のフロースイッチ２４で検出された各ポンプ１０の吐出流量信号ＳF、及びＮｏ．１〜Ｎｏ．８の漏電ブレーカ１２からの信号ＳELBが入力されるようになっている。
【０００３】
図２は、従来のこの種の給水装置の制御装置の構成例を示す図である。図示するように、本給水装置は、Ｎｏ．１、Ｎｏ．２の２台のポンプ１０を具備し、制御部２０は８台のポンプ１０を制御できる８台用制御基板２２で構成され、圧力センサ２３で検出された吐出圧力信号ＳP、Ｎｏ．１、Ｎｏ．２のフロースイッチ２４で検出された各ポンプ１０の吐出流量信号ＳF、及びＮｏ．１、Ｎｏ．２の漏電ブレーカ１２からの信号ＳELBが入力されるようになっている。
【０００４】
図３は、従来のこの種の給水装置の制御装置の構成例を示す図である。図示するように、本給水装置は、Ｎｏ．１〜Ｎｏ．３の３台のポンプ１０を具備し、制御部２０は２台のポンプ１０を制御できる２台用制御基板２５−１、２５−２を２個で構成し、圧力センサ２３で検出された吐出圧力信号ＳP、Ｎｏ．１〜Ｎｏ．３のフロースイッチ２４で検出された各ポンプ１０の吐出流量信号ＳF、及びＮｏ．１〜Ｎｏ．３の漏電ブレーカ１２からの信号ＳELBが入力されるようになっている。
【発明の開示】
【発明が解決しようとする課題】
【０００５】
図１に示す従来の給水装置の制御装置の構成では制御部２０は８台のポンプ１０を８台用制御基板２２で構成されいるから、８台用制御基板２２の能力は充分に発揮され無駄がないが、図２に示す給水装置の制御装置の構成では２台のポンプ１０を制御するのに、８台のポンプ１０を制御できる８台用制御基板２２で制御部２０を構成しているから、６台分の入力・出力部を使用しないことになり無駄が多く、その分コストが高くなる。また、図３に示す給水装置の制御装置の構成では３台のポンプ１０を制御するのに、２台のポンプ１０を制御できる２台用制御基板２５−１を２個で制御部２０を構成しているから、１台分の入力・出力部を使用しないことになり無駄があり、その分コストが高くなる。
【０００６】
本発明は上述の点に鑑みてなされたもので、制御部を構成する制御基板の能力を無駄にすることなく、低コストの給水装置の制御装置、及び制御装置構成方法を提供することを目的とする。
【課題を解決するための手段】
【０００７】
上記課題を解決するため請求項１に記載の発明は、複数台のポンプ、該複数台のポンプを制御する制御部を具備し、１台のポンプを制御するのにセンサ入力と出力信号を必要とする給水装置の制御装置であって、前記制御部を前記ポンプの台数に応じて、奇数台のポンプを制御する奇数台用制御基板又はその組合せ、又は偶数台のポンプを制御する偶数台用制御基板又はその組合せ、又は前記奇数台用制御基板と前記偶数台用制御基板の組合せで構成することを特徴とする。
【０００８】
請求項２に記載の発明は、請求項１に記載の給水装置の制御装置において、前記奇数台用制御基板は３台のポンプを制御する３台用制御基板であり、前記偶数台用制御基板は２台のポンプを制御する２台用制御基板であることを特徴とする。
【０００９】
請求項３に記載の発明は、複数台のポンプ、該複数台のポンプを制御する制御部を具備し、１台のポンプを制御するのにセンサ入力と出力信号を必要とする給水装置の制御装置構成方法であって、奇数台のポンプを制御する奇数台用制御基板と、偶数台のポンプを制御する偶数台用制御基板を用意し、前記制御部を前記ポンプの台数に応じて、前記奇数台用制御基板と前記偶数台用制御基板の中から選択し、該選択した制御基板を組合せて構成することを特徴とする。
【００１０】
請求項４に記載の発明は、請求項３に記載の給水装置の制御装置構成方法において、前記奇数台用制御基板は３台のポンプを制御する３台用制御基板であり、前記偶数台用制御基板は２台のポンプを制御する２台用制御基板であることを特徴とする。
【発明の効果】
【００１１】
請求項１及び２に記載の発明によれば、制御部をポンプの台数に応じて、奇数台のポンプを制御する奇数台用制御基板又はその組合せ、又は偶数台のポンプを制御する偶数台用制御基板又はその組合せ、又は奇数台用制御基板と偶数台用制御基板の組合せで構成するので、各制御基板の能力を充分に発揮できるように、制御部を構成できるから、低コストで複数台のポンプを制御できる給水装置の制御装置を提供できる。
【００１２】
請求項３及び４に記載の発明によれば、奇数台のポンプを制御する奇数台用制御基板と、偶数台のポンプを制御する偶数台用制御基板を用意し、制御部をポンプの台数に応じて、各制御基板の能力を充分に発揮できるように、奇数台用制御基板と偶数台用の制御基板の中から選択して構成するので、低コストで複数台のポンプを制御できる給水装置の制御装置構成方法を提供できる。
【発明を実施するための最良の形態】
【００１３】
以下本発明の実施の形態例を図面に基いて説明する。図４は本発明に係る給水装置の構成例を示す図である。図示するように、本給水装置は、Ｎｏ．１〜Ｎｏ．５の５台のポンプ１０を具備し、それぞれのポンプ１０をインバータ１１で駆動するようになっている。各インバータ１１には漏電ブレーカ１２及び電磁開閉器１３を通して電源端子１４から電源が供給されるようになっている。制御部２０は２台のポンプ１０を制御できる２台用制御基板３１と３台のポンプ１０を制御できる３台用制御基板３２を組合せて構成されている。
【００１４】
Ｎｏ．１及びＮｏ．２のポンプ１０、１０をそれぞれ駆動するインバータ１１、１１は通信線２１−１を介して２台用制御基板３１の間で信号が送受されるようになっており、Ｎｏ．３〜Ｎｏ．５のポンプ１０、１０、１０をそれぞれ駆動するインバータ１１、１１、１１は通信線２１−２を介して３台用制御基板３２の間で信号が送受されるようになっている。２台用制御基板３１には、圧力センサ２３で検出された吐出圧力信号ＳP、Ｎｏ．１、Ｎｏ．２のフロースイッチ２４で検出されたＮｏ．１、Ｎｏ．２の各ポンプ１０の吐出流量信号ＳF、及びＮｏ．１、Ｎｏ．２の各漏電ブレーカ１２からの信号ＳELBが入力されるようになっている。また、３台用制御基板３２には、圧力センサ２３で検出された吐出圧力信号ＳP、Ｎｏ．３〜Ｎｏ．５のフロースイッチ２４で検出されたＮｏ．３〜Ｎｏ．５の各ポンプ１０の吐出流量信号ＳF、及びＮｏ．１〜Ｎｏ．３の漏電ブレーカ１２、１２、１２からの各信号ＳELBが入力されるようになっている。
【００１５】
上記のように、２台用制御基板３１、３台用制御基板３２を用意しておき、給水装置が備えるポンプ１０の台数に応じて、該２台用制御基板３１及び３台用制御基板３２の中から、制御部２０が当該給水装置が備えるポンプ１０を運転するのに必要で且つ充分な能力を備える制御基板を選択し、該選択した制御基板を組合せて制御部２０を構成することにより、制御基板が有する能力を無駄なく利用することができ、低コストの給水装置の制御装置が実現できる。
【００１６】
以上本発明の実施形態を説明したが、本発明は上記実施形態に限定されるものではなく、特許請求の範囲、及び明細書と図面に記載された技術的思想の範囲内において種々の変形が可能である。例えば、制御基板を２台のポンプを制御できる２台用制御基板と３台のポンプを制御できる３台用制御基板を用い、給水装置のポンプ台数に応じて選択し、組合せて制御部を構成する例を示したが、これに限定されるものではなく、偶数台のポンプを制御できる偶数台用制御基板と奇数台のポンプを制御できる奇数台用制御基板を用意し、給水装置のポンプ台数に応じて各制御基板が有する能力を無駄なく充分発揮できるように選択し、組合せて制御部を構成してもよい。
【００１７】
また、図５に示すように、２台用（又は偶数台用）制御基板３１と３台用（又は奇数台用）制御基板３２を備え、どちらか一方、例えば２台用（又は偶数台用）制御基板３１を
親基板として全ポンプ１０の制御を行い、他方の３台用（又は奇数台用）制御基板３２を子基板として入力・出力部だけの機能に限定した使い方にしてもよい。この時、親基板と子基板を互いに通信線２１を介して監視していれば、子基板を親基板のバックアップ用として使用することも可能である。
【図面の簡単な説明】
【００１８】
【図１】従来のこの種の給水装置の制御装置の構成例を示す図である。
【図２】従来のこの種の給水装置の制御装置の構成例を示す図である。
【図３】従来のこの種の給水装置の制御装置の構成例を示す図である。
【図４】本発明に係る給水装置の制御装置の構成例を示す図である。
【図５】本発明に係る給水装置の制御装置の構成例を示す図である。
【符号の説明】
【００１９】
１０      ポンプ
１１      インバータ
１２      漏電ブレーカ
１３      電磁開閉器
１４      電源端子
２０      制御部
２１      通信線
２３      圧力センサ
２４      フロースイッチ
３１      ２台用制御基板
３２      ３台用制御基板
【図１】
2006097662.tif 000003
【図２】
2006097662.tif 000004
【図３】
2006097662.tif 000005
【図４】
2006097662.tif 000006
【図５】
2006097662.tif 000007